(57)【要約】【課題】中枠に対して遊技盤を簡易かつ確実に着脱することができる遊技機を提供する。【解決手段】パチンコ機の中枠１３に遊技盤２を取り付ける場合、まず遊技盤２の左側部に設けられた上側係止片３５及び下側係止片３６を、中枠１３の上側受け具３０及び下側受け具３１に係止する。そして、遊技盤２の左側部が中枠１３で軸支された状態で、遊技盤２を中枠１３に対して閉鎖して、遊技盤２の右側部に設けられた上側ロック部３７及び下側ロック部３８を、中枠１３の上側ロック体３２及び下側ロック体３３に嵌合させる。中枠１３に遊技盤２が取り付けられると、中枠１３に設けられた弾性具４２ａ〜４２ｄが、遊技盤２を前方に押圧する。【選択図】図１６
2007190264.tif 000002
【特許請求の範囲】
【請求項１】
遊技機本体の前面側に設けられた正面視略長方形状の中枠と、前記中枠の前面側に設けられて、遊技媒体が流下する遊技領域を形成する遊技盤とを備え、前記中枠に形成された遊技盤用開口部に前記遊技盤が取り付けられる遊技機であって、
前記中枠は、前記遊技盤用開口部の周囲に、前記遊技盤の一側部を支持する受け部材と、前記遊技盤の他側部を前記中枠に着脱する着脱体とを備え、
前記遊技盤は、該遊技盤の一側部に設けられて前記受け部材に係止される係止部と、該遊技盤の他側部に設けられて前記着脱体に着脱される着脱部とを備えており、
前記遊技盤の係止部が前記中枠の受け部材に係止されると、該遊技盤がその一側部を回動中心として前後方向に開閉可能に支持されるとともに、該係止部が該受け部材に係止された状態で該遊技盤が前後方向に開閉されると、その開閉動作に応じて前記遊技盤の着脱部が前記中枠の着脱体に着脱されることを特徴とする遊技機。
【請求項２】
前記受け部材は、前記係止部の下端部が載置されて前記遊技盤の上下方向を位置決めする載置部と、該係止部の側端部が当接して該遊技盤の左右方向を位置決めする当接部とを備えたことを特徴とする請求項１に記載の遊技機。
【請求項３】
前記載置部は、前記中枠の前面側で前記係止部の下端部を載置可能な平面を形成する板状部材であり、
前記当接部は、前記中枠の前面側で前記係止部の側端部を嵌入可能な略コの字型の溝部を形成する板状部材であって、
前記係止部の下端部が前記載置部に載置されると、前記係止部の側端部が前記当接部の溝部を前後方向に移動できる範囲に、前記遊技盤の開閉動作が制限されることを特徴とする請求項２に記載の遊技機。
【請求項４】
前記着脱体は、前記着脱部に係合する雄部であり、
前記着脱部は、前記着脱体が係合される雌部であって、
前記着脱部において前記着脱体が挿入又は抜脱される挿脱口は、該着脱体と対向する方向に向けて徐々に開口幅が広くなるように形成されたことを特徴とする請求項１乃至３のいずれかに記載の遊技機。
【請求項５】
前記中枠は、前記遊技盤用開口部の周囲であって、かつ該遊技盤用開口部に取り付けられる前記遊技盤の背面が当接する部位に、該遊技盤の背面を押圧する弾性部材を備えたことを特徴とする請求項１乃至４のいずれかに記載の遊技機。
【請求項６】
前記弾性部材は、複数の薄板状のスポンジ部材であることを特徴とする請求項５に記載の遊技機。
【発明の詳細な説明】
【技術分野】
【０００１】
本発明は、中枠に対して遊技盤が着脱される遊技機に関する。
【背景技術】
【０００２】
従来、遊技機の一種であるパチンコ機において、正面視略長方形状の外枠の、遊技者に対向する前面側には、正面視略長方形状の中枠が開閉可能に軸支されている。そして、その中枠の前面側には遊技盤が固定されている。さらに遊技盤は、中枠の前面側の周囲に設けられた複数の保持部材によって、中枠の前面側に固定されている。これら保持部材は、短冊形状の金属製板部材によって各々形成され、その長手方向一端側は中枠の前面側の周囲に軸支されている。そして、遊技盤を中枠の前面側に当接させた状態で、保持部材の前記一端側とは反対の他端側を、中枠の内側に向かって略水平方向に回動させ、「遊技盤固定位置」に位置させると、遊技盤が中枠に固定された状態となる。一方、保持部材の前記他端側を中枠の上方側に回動させ、「遊技盤開放位置」に位置させることにより、遊技盤が中枠から開放された状態となる。このようにして、これら複数の保持部材を遊技盤固定位置から遊技盤開放位置へ、又は遊技盤開放位置から遊技盤固定位置へ変位させることにより、中枠に対する遊技盤の着脱作業が行われる。
【０００３】
このようなパチンコ機において、例えば、保持部材すべてにつき、各々変位させる煩わしさのない、遊技盤固定保持装置を備えたパチンコ機が提案されている。このパチンコ機の遊技盤固定保持装置は、複数の保持部材のうち少なくとも２つの保持部材が、操作部の操作によって遊技盤固定位置と遊技盤開放位置との間を連動して変位するため、中枠からの遊技板の着脱を容易としている（例えば、特許文献１参照）。
【特許文献１】特開２００３−１９３１９号公報
【発明の開示】
【発明が解決しようとする課題】
【０００４】
ところで、パチンコ機の製造時やメンテナンス時などに中枠に遊技盤を着脱するため、パチンコ機の製造者や管理者が遊技盤を把持して持ち上げた状態で、遊技盤を中枠に位置合わせして固定したり、遊技盤を中枠から取り外したりする作業を行っている。しかし、遊技盤には表示装置や電飾装置などの各種部材が設けられているため、一般に遊技盤の重量は大きい。そのため、従来のように、中枠に遊技盤を装着するために遊技盤を持ち上げながら中枠に取り付けるという作業は、多大な手間と労力を要するという問題があった。
【０００５】
特に、中枠に遊技盤を装着する場合は、中枠における所定の取り付け位置（遊技盤用開口部）に遊技盤を固定する必要があるところ、遊技盤の重量は大きいと遊技盤用開口部への位置決めが困難であった。そして、中枠に対して遊技盤を正確に位置決めできていないと、複数の保持部材で遊技盤を固定しても、パチンコ機の稼動時に遊技盤が外れてしまう問題があった。
【０００６】
本発明は、上述の問題点を解決するためになされたものであり、中枠に対して遊技盤を簡易かつ確実に着脱することができる遊技機の提供を目的とする。
【課題を解決するための手段】
【０００７】
上記課題を解決するため、請求項１に係る発明の遊技機は、遊技機本体の前面側に設けられた正面視略長方形状の中枠と、前記中枠の前面側に設けられて、遊技媒体が流下する遊技領域を形成する遊技盤とを備え、前記中枠に形成された遊技盤用開口部に前記遊技盤が取り付けられる遊技機であって、前記中枠は、前記遊技盤用開口部の周囲に、前記遊技盤の一側部を支持する受け部材と、前記遊技盤の他側部を前記中枠に着脱する着脱体とを備え、前記遊技盤は、該遊技盤の一側部に設けられて前記受け部材に係止される係止部と、該遊技盤の他側部に設けられて前記着脱体に着脱される着脱部とを備えており、前記遊技盤の係止部が前記中枠の受け部材に係止されると、該遊技盤がその一側部を回動中心として前後方向に開閉可能に支持されるとともに、該係止部が該受け部材に係止された状態で該遊技盤が前後方向に開閉されると、その開閉動作に応じて前記遊技盤の着脱部が前記中枠の着脱体に着脱されることを特徴とする。
【０００８】
また、請求項２に係る発明の遊技機は、請求項１に記載の発明の構成に加えて、前記受け部材は、前記係止部の下端部が載置されて前記遊技盤の上下方向を位置決めする載置部と、該係止部の側端部が当接して該遊技盤の左右方向を位置決めする当接部とを備えたことを特徴とする。
【０００９】
また、請求項３に係る発明の遊技機は、請求項２に記載の発明の構成に加えて、前記載置部は、前記中枠の前面側で前記係止部の下端部を載置可能な平面を形成する板状部材であり、前記当接部は、前記中枠の前面側で前記係止部の側端部を嵌入可能な略コの字型の溝部を形成する板状部材であって、前記係止部の下端部が前記載置部に載置されると、前記係止部の側端部が前記当接部の溝部を前後方向に移動できる範囲に、前記遊技盤の開閉動作が制限されることを特徴とする。
【００１０】
また、請求項４に係る発明の遊技機は、請求項１乃至３のいずれかに記載の発明の構成に加えて、前記着脱体は、前記着脱部に係合する雄部であり、前記着脱部は、前記着脱体が係合される雌部であって、前記着脱部において前記着脱体が挿入又は抜脱される挿脱口は、該着脱体と対向する方向に向けて徐々に開口幅が広くなるように形成されたことを特徴とする。
【００１１】
また、請求項５に係る発明の遊技機は、請求項１乃至４のいずれかに記載の発明の構成に加えて、前記中枠は、前記遊技盤用開口部の周囲であって、かつ該遊技盤用開口部に取り付けられる前記遊技盤の背面が当接する部位に、該遊技盤の背面を押圧する弾性部材を備えたことを特徴とする。
【００１２】
また、請求項６に係る発明の遊技機は、請求項５に記載の発明の構成に加えて、前記弾性部材は、複数の薄板状のスポンジ部材であることを特徴とする。
【発明の効果】
【００１３】
請求項１に係る発明の遊技機では、中枠に形成された遊技盤用開口部に遊技盤が取り付けられるものであって、遊技盤の係止部が中枠の受け部材に係止されると、遊技盤がその一側部を回動中心として前後方向に開閉可能に支持され、係止部が受け部材に係止された状態で遊技盤が前後方向に開閉されると、その開閉動作に応じて着脱部が着脱体に着脱される。よって、遊技盤の一側部を中枠に係止した状態で、遊技盤の他側部を中枠に取り付けることができるので、中枠に対して遊技盤を簡易かつ確実に着脱することができる。
【００１４】
また、請求項２に係る発明の遊技機では、請求項１に記載の発明の効果に加えて、受け部材は、係止部の下端部が載置されて遊技盤の上下方向を位置決めする載置部と、係止部の側端部が当接して遊技盤の左右方向を位置決めする当接部とを備えた。よって、遊技盤の一側部を中枠に係止すると、中枠に対して遊技盤の上下方向及び左右方向の位置決めがなされるので、中枠に対して遊技盤を正確に位置決めすることができる。
【００１５】
また、請求項３に係る発明の遊技機では、請求項２に記載の発明の効果に加えて、載置部は係止部の下端部を載置可能な平面を形成し、当接部は係止部の側端部を嵌入可能な略コの字型の溝部を形成し、係止部の下端部が載置部に載置されると、遊技盤の開閉動作は当接部の溝部を前後方向に移動できる範囲に制限される。よって、遊技盤の一側部を中枠に係止すると、中枠に対する遊技盤の前後方向の移動範囲が制限されるので、中枠に対して遊技盤を正確に位置決めすることができる。
【００１６】
また、請求項４に係る発明の遊技機では、請求項１乃至３のいずれかに記載の発明の効果に加えて、着脱体は着脱部に係合する雄部であり、着脱部は着脱体が係合される雌部であって、着脱部の挿脱口は着脱体と対向する方向に向けて徐々に開口幅が広くなるように形成された。よって、遊技盤の他側部を中枠に取り付ける際に、中枠の遊技盤用開口部に対する遊技盤の位置が若干ズレていても、中枠に対して遊技盤を適切に取り付けることができる。
【００１７】
また、請求項５に係る発明の遊技機では、請求項１乃至４のいずれかに記載の発明の効果に加えて、遊技盤用開口部の周囲における遊技盤の背面が当接する部位に、遊技盤の背面を押圧する弾性部材を備えた。よって、遊技盤用開口部に取付けられた遊技盤の背面を弾性部材が押圧するため、中枠に対して遊技盤を密着して固定でき、遊技機の稼動時における遊技盤の振動を防止することができる。
【００１８】
また、請求項６に係る発明の遊技機では、請求項１乃至５のいずれかに記載の発明の効果に加えて、弾性部材は複数の薄板状のスポンジ部材である。よって、簡易な構成を有するスポンジ部材によって、中枠に対して遊技盤を密着して固定でき、遊技機の稼動時における遊技盤の振動を防止することができる。
【発明を実施するための最良の形態】
【００１９】
以下、本発明に係る遊技機の一実施の形態であるパチンコ機１について、図面に基づいて説明する。図１は、パチンコ機１の表枠１４及び中枠１３が開いた状態を斜め前方から見た斜視図である。図２は、パチンコ機１の正面図である。なお、以下の説明において、図１及び図２の紙面手前側を「パチンコ機１の正面側」、紙面奥行き側を「パチンコ機１の背面側」とする。
【００２０】
はじめに、パチンコ機１の概略構成について説明する。図１に示すように、パチンコ機１は、ホールの島設備（図示外）に配設され、パチンコ機１の本体を支持する正面視略長方形状の外枠１２を備えている。そして、外枠１２の遊技者に対向する正面側には、正面視略長方形状の中枠１３が設けられている。そして、この中枠１３の中枠左柱部１３ｃ（図６参照）は、上ヒンジ２６及び下ヒンジ２５を介して、外枠１２の外枠左柱部１２ｃ近傍に軸支されることにより、中枠１３が外枠１２に対して略水平方向に回動可能（開閉可能）となっており、中枠１３の開閉によって中枠右柱部１３ｂ（図６参照）で外枠１２に着脱可能となっている。一方、中枠１３の上半分には、遊技盤２が固定されるための正面視略長方形状の遊技盤用開口部Ｑ（図６参照）が形成され、当該遊技盤用開口部Ｑの正面側には、略矩形状の表枠１４が設けられている。
【００２１】
そして、表枠１４の表枠左側端部１４ａが、中枠左柱部１３ｃ（図６参照）近傍に軸支されることにより、表枠１４が中枠１３に対して略水平方向に回動可能（開閉可能）となっており、表枠１４の開閉によって表枠右側端部１４ｂで中枠１３に着脱可能となっている。さらに、表枠１４の略中央には、正面視略円形状の窓部１４０（図９参照）が形成され、この窓部１４０には正面視略円形状のガラス窓２３が嵌め込まれている。
【００２２】
また、図１に示すように、パチンコ機１の中枠１３の上半分の部分には、発射ハンドル７の操作により、発射手段である発射機（図示外）から発射された遊技球が流下する遊技盤２が設けられている。この遊技盤２は正面視略正方形であり、ガラス窓２３を略中央に保持した表枠１４によって保護されている。また、図１及び図２に示すように、中枠１３において、遊技盤２の下方には、発射機に遊技球を供給し、かつ賞品球を受け入れる上皿５が設けられている。さらに、上皿５の直下には、賞品球を受ける下皿６が設けられ、その下皿６の右側には発射機による遊技球の発射を調整する発射ハンドル７が設けられている。
【００２３】
そして、図１及び図２に示すように、中枠１３の上皿５の右側には鍵穴７５が設けられており、この鍵穴７５の背後にはシリンダ錠７６（図６参照）が設けられている。そして、この鍵穴７５に鍵（図示外）を挿入し、挿入された鍵を反時計回りに回転させることにより、外枠１２に対して固定されていた中枠１３が、略水平方向に回動可能となる。一方、挿入された鍵を時計回りに回転させることにより、中枠１３に対して表枠１４が略水平方向に回動可能となる。また、パチンコ機１の中枠１３の裏面には、制御基盤、サブ統合基盤、音基盤などの各種基盤が組み付けられており、それら基盤は、樹脂製の透明な板材からなるセンターカバー８０や基盤ボックス８２で保護されている。また、センターカバー８０の上部には、遊技機設置島から供給される遊技球を貯留する遊技球タンク８４が設けられている。
【００２４】
一方、図１に示すように、遊技盤２の正面には、外レール３及び内レール９（図３参照）に囲まれた正面視略円形状の遊技領域４が設けられている。そして、図２に示すように、この遊技領域４の略中央には、ＬＣＤから構成された特別図柄表示画面、各種ランプ及びＬＥＤを備えた特別図柄表示装置８が設けられている。また、この特別図柄表示装置８の下側には特別図柄始動電動役物１５が設けられている。そして、この特別図柄始動電動役物１５の左右には普通入賞口１９，２０がそれぞれ設けられている。そして、普通入賞口１９の左側方には普通図柄始動ゲート１１が設けられている。さらに、特別図柄始動電動役物１５の下方には、大入賞口１６が設けられている。そして、大入賞口１６の下方には、何れの入賞口にも入賞しなかった遊技球が回収されるアウト口８１が設けられている。
【００２５】
次に、外枠１２について説明する。図１に示すように、外枠１２は、ホールの島設備（図示外）に取り付けられるパチンコ機１本体を支持する枠部材である。この外枠１２は、外枠上柱部１２ａ，外枠右柱部１２ｂ，外枠左柱部１２ｃ，外枠下柱部１２ｄからなり、正面視略長方形状の枠を構成している。そして、外枠下柱部１２ｄは、他の３つの柱部材である外枠上柱部１２ａ、外枠右柱部１２ｂ、外枠左柱部１２ｃよりもやや前方へ突出した形状を有している。このため、外枠下柱部１２ｄは、他の３本の枠部材よりも高い強度を有し、土台としての機能も担っている。さらに、図２に示すように、外枠下柱部１２ｄの、遊技者に対向する正面側には、樹脂で形成された黒色の薄板である化粧板（図示外）が張られている。そして、このような構成からなる外枠１２の外枠左柱部１２ｃ近傍に、中枠１３の中枠左柱部１３ｃ（図６参照）近傍が軸支されるようになっている。
【００２６】
次に、遊技盤２について説明する。図３は、遊技盤２の正面図である。図４及び図５は、上側ロック部３７の斜め後方からみた拡大斜視図である。図３に示すように、遊技盤２は、正面視略長方形状の板部材であり、３枚の板部材が積層されて１枚の板部材を形成している。この遊技盤２は、中枠１３の裏面側に固着された遊技盤固定枠５０（図６参照）の正面側に支持される。そして、先述のように、この遊技盤２の正面側には、正面視略円形状に形成された外レール３と、当該外レール３の内側に配設され、正面視略半円形状に形成された内レール９とを備えている。さらに、外レール３及び内レール９の内側には発射手段によって発射された遊技球が流下する正面視略円形状の遊技領域４が形成されている。
【００２７】
また、遊技盤２の左上角部近傍には、正面視、左方向に突出するように切削加工された上側係止片３５が設けられている。この上側係止片３５は、遊技盤２を中枠１３に取り付ける際に上側受け具３０（図６参照）に係止される部位である。詳細には、上側係止片３５は、その下端部３５ａが上側受け具３０の載置部３０ａに載置され、その側端部３５ｂが上側受け具３０の当接部３０ｂに当接する。一方、遊技盤２の左下角部近傍には、階段状に切削加工された下側係止片３６が設けられている。この下側係止片３６は、遊技盤２を中枠１３に取り付ける際に、下側受け具３１（図６参照）に係止される部位である。詳細には、下側係止片３６は、その下端部３６ａが下側受け具３１の載置部３１ａに載置され、その側端部３６ｂが下側受け具３１の当接部３１ｂに当接する。
【００２８】
また、遊技盤２の右上角部近傍には、製造者等の操作に応じて着脱可能なロック機構のメス部である上側ロック部３７が設けられている。この上側ロック部３７は、遊技盤２を中枠１３に取り付ける際に、ロック機構のオス部である上側ロック体３２（図６参照）に係着される部位である。一方、遊技盤２の右下角部近傍には、製造者等の操作に応じて着脱可能なロック機構のメス部である下側ロック部３８が設けられている。この下側ロック部３８は、遊技盤２を中枠１３に取り付ける際に、ロック機構のオス部である下側ロック体３３（図６参照）に係着される部位である。さらに、遊技盤２の外レール３右半分の湾曲する外側面には、その湾曲形状に沿うようにして飾り部材３９が固定されている。
【００２９】
図４及び図５に示すように、上側ロック部３７は、背面視、ロック機構のメス部として機能する本体部３７ａの左側面に、前後方向に操作可能な操作レバー３７ｂが設けられている。また、本体部３７ａの背面側には、その内部に上側ロック体３２（図６参照）を挿脱するための開口部である挿脱口３７ｃと、この挿脱口３７ｃを開閉する開閉片３７ｄとが設けられており、開閉片３７ｄは操作レバー３７ｂの操作に応じて左右方向に動作するようになっている。そして、図４に示すように、操作レバー３７ｂが後方側に移動されると、開閉片３７ｄが挿脱口３７ｃを閉ざし（閉鎖状態）、図５に示すように、操作レバー３７ｂが前方側に移動されると、開閉片３７ｄが挿脱口３７ｃを開く（解除状態）。なお、製造者等が操作しない状態では、本体部３７ａに内蔵されたバネ部材（図示外）の付勢力により、操作レバー３７ｂは後方側に移動した状態に保持されて、開閉片３７ｄは閉鎖状態となっている。
【００３０】
ところで、上側ロック部３７では、その挿脱口３７ｃが上側ロック体３２と対向する背面側に向けて開口部の横幅が徐々に大きくなるように形成されている。さらに、開閉片３７ｄは、背面側に向けて徐々に左方向に湾曲する傾斜面が形成されている。そのため、上側ロック部３７に上側ロック体３２を係着する場合は、上側ロック体３２を挿脱口３７ｃに向けて挿入すると、上側ロック体３２の先端が開閉片３７ｄの傾斜面に沿って本体部３７ａの内部に向けて摺動すると同時に、開閉片３７ｄを解除側（左方向）に移動させる。そして、上側ロック体３２の先端が本体部３７ａの内部で係着され、かつ本体部３７ａに内蔵されたバネ部材（図示外）の付勢力によって、開閉片３７ｄが上側ロック体３２を閉鎖側（右方向）に押圧して固定する。一方、上側ロック部３７から上側ロック体３２を抜脱する場合は、製造者等は操作レバー３７ｂを正面側に引いた状態で（前方に移動させた状態で）、開閉片３７ｄを解除状態として挿脱口３７ｃから上側ロック体３２を抜脱することが可能である。なお、図示しないが、下側ロック部３８も、本体部，操作レバー，挿脱口を備え、上側ロック部３７と同一構成である。
【００３１】
図３に戻り、正面視、遊技盤２の左上角部近傍には、遊技盤２を中枠１３に位置決め固定するために穿設された嵌合穴４０ａが設けられている。一方、遊技盤２の右下角部近傍にも、嵌合穴４０ａと同様の嵌合穴４０ｂが設けられている。そして、これら嵌合穴４０ａ，４０ｂを、中枠１３に固着された嵌合突起４１ａ，４１ｂ（図６参照）に各々嵌合させることにより、中枠１３に対して遊技盤２の位置決め及び固定がなされる。
【００３２】
次に、中枠１３について説明する。図６は、中枠１３の正面図である。図７は、上側受け具３０の斜め前方からみた拡大斜視図である。図８は、上側ロック体３２の部品拡大図である。図６に示すように、中枠１３は、中枠上柱部１３ａ，中枠右柱部１３ｂ，中枠左柱部１３ｃ，中枠下柱部１３ｄにより、正面視略長方形状に構成されている。そして、中枠１３を構成する柱部材は、金属製のアングル部材からなる。さらに、中枠上柱部１３ａ、中枠右柱部１３ｂ及び中枠左柱部１３ｃは、平面視略短冊形状に形成されている。一方、中枠下柱部１３ｄは、中枠上柱部１３ａ、中枠右柱部１３ｂ及び中枠左柱部１３ｃの幅よりも広い面積を有する平面視略長方形状に形成されている。そして、中枠下柱部１３ｄの正面側には、上述した下皿６や発射ハンドル７などの各部品（図２参照）及び各装置が固定される。
【００３３】
また、中枠左柱部１３ｃの正面側における、長手方向上端部近傍には、平面視略半円形状の掛け部２４が固定されている。この掛け部２４は、外枠１２に固定された上ヒンジ２６（図１参照）とともに「上ヒンジ構造」を構成する。そして、掛け部２４には、掛け部２４の上面から上方に向かって凸設され、上ヒンジ２６に設けられた係合穴（図示外）に係合するための軸ピン（図示外）が設けられている。さらに、掛け部２４の下面には、下方に向かって凸設され、表枠１４の表枠左側端部１４ａの長手方向上端部に設けられた組付具１４ｅ（図９参照）の係合穴（図示外）に係合する軸ピン２４ａが設けられている。
【００３４】
一方、中枠左柱部１３ｃの正面側における、長手方向略中間よりもやや下方位置近傍には、中ヒンジ２９が固定されている。この中ヒンジ２９は、表枠１４の表枠左側端部１４ａの長手方向下端部に設けられた組付具１４ｆ（図９参照）とともに「中ヒンジ構造」を構成する。そして、中ヒンジ２９には、中ヒンジ２９の上面から上方に向かって凸設された軸ピン２９ａが設けられ、その軸ピン２９ａには組付具１４ｆの係合穴（図示外）が係合する。
【００３５】
さらに、中枠左柱部１３ｃの正面側における、長手方向下端部近傍には、掛け部２７が固定されている。この掛け部２７は、外枠１２に固定された下ヒンジ２５（図１参照）とともに「下ヒンジ構造」を構成する。さらに掛け部２７には、下ヒンジ２５に凸設された軸ピン（図示外）と係合するための係合穴２７ａが設けられている。したがって、中枠１３の中枠左柱部１３ｃは、外枠１２の外枠左柱部１２ｃ近傍に軸支されることにより、外枠１２に対して中枠１３が略水平方向に回動可能である。同様に、表枠１４の表枠左側端部１４ａは、中枠１３の中枠左柱部１３ｃ近傍に軸支されることにより、中枠１３に対して表枠１４が略水平方向に回動可能である。
【００３６】
なお、中枠右柱部１３ｂの正面側における、長手方向略中間位置近傍には、鉤形状をなす上下一対の鉤金具２１，２２が取り付けられている。これら鉤金具２１，２２は、正面から突出して、表枠１４に設けた係止具１４ｇ，１４ｈ（図９参照）に対応して設けられている。そして、中枠１３に対して表枠１４を閉鎖すると、鉤金具２１，２２の先端部が表枠１４側の係止具１４ｇ，１４ｈに係止されて、シリンダ錠７６により施錠状態とされるようになっている。
【００３７】
ここで、中枠１３の裏面側には、正面視略長方形状の遊技盤固定枠５０が固着され、中枠１３と一体化されている。この遊技盤固定枠５０は、中枠１３に対する遊技盤２の位置決めをして固定するための枠部材であり、中枠１３の裏面側に固着されている。そして、遊技盤固定枠５０は、固定枠上柱部５０ａ，固定枠右柱部５０ｂ，固定枠左柱部５０ｃ，固定枠下柱部５０ｄによって、正面視略長方形状の枠を構成している。また、これら柱部材は金属製のアングル部材であり、固定枠左柱部５０ｃ及び固定枠右柱部５０ｂは平面視略短冊形状に形成されている。一方、固定枠上柱部５０ａ及び固定枠下柱部５０ｄは、固定枠左柱部５０ｃ及び固定枠右柱部５０ｂよりも幅の広い平面視略長方形状に形成されている。そして、このような構成からなる遊技盤固定枠５０の内側には、正面視略長方形状の遊技盤用開口部Ｑが形成されている。この遊技盤用開口部Ｑには、遊技盤２の背面から突出する特別図柄表示装置８の一部や、各部品の凸部形状が挿入される。したがって、遊技盤固定枠５０の正面に、遊技盤２の裏面を密着させることができる。
【００３８】
そして、上記構成からなる中枠１３には、遊技盤２を位置決めして固定するために、以下の構成を備える。すなわち、遊技盤固定枠５０の左上角部近傍には、遊技盤２の上側係止片３５（図３参照）を支持するための上側受け具３０が設けられ、遊技盤固定枠５０の左下角部近傍には、遊技盤２の下側係止片３６（図３参照）を支持するための下側受け具３１が設けられている。上側受け具３０は、上方から載置される上側係止片３５を係止可能に正面側に立設された受け金具であり、下側受け具３１は、上方から載置される下側係止片３６を係止可能に正面側に立設された受け金具である。
【００３９】
図７に示すように、上側受け具３０は、上側係止片３５の下端部３５ａが載置される水平面を形成する載置部３０ａと、上側係止片３５の側端部３５ｂが当接する垂直面を形成する当接部３０ｂとで構成されている。載置部３０ａは、中枠１３の正面側で水平に設置される板状部材である支持板３０１ａと、支持板３０１ａを中枠１３に固定するＬ字型の連結金具３０２ａとで構成されている。当接部３０ｂは、板状金具が曲げ成形された一体の支持金具であり、中枠左柱部１３ｃの右側面に固定される取付部３０１ｂと、取付部３０１ｂの正面側の側縁部から遊技盤用開口部Ｑに向けて延設された係止面である前係止部３０２ｂと、取付部３０１ｂの背面上端部及び背面下端部から遊技盤用開口部Ｑに向けて各々突起した一対の係止爪である後係止部３０３ｂ（但し、背面下端部の後係止部３０３ｂは図示外）とから構成される。そして、前係止部３０２ｂと遊技盤固定枠５０との隙間が、上側係止片３５の側端部３５ｂを嵌入可能な支持溝３０４ｂである。すなわち、当接部３０ｂは、平面視、遊技盤用開口部Ｑに向けて開口するような略コの字型の溝部（支持溝３０４ｂ）を形成する板状金具である。なお、前係止部３０２ｂは、正面視右方向から上側係止片３５の側端部３５ｂを嵌入しやすいように、若干正面側に傾斜するように延設されているため、遊技盤用開口部Ｑに向かうほど支持溝３０４ｂの開口幅が大きくなっている。同様に、下側受け具３１も、載置部３１ａと当接部３１ｂとから構成され、上側受け具３０と同一構成である。
【００４０】
図６に戻り、遊技盤固定枠５０の右上角部近傍には、遊技盤２の上側ロック部３７に係着する上側ロック体３２が設けられ、遊技盤固定枠５０の右下角部近傍には、遊技盤２の下側ロック部３８に係着する下側ロック体３３が設けられている。上側ロック体３２は、上側ロック部３７と対向するように正面側に立設された係止金具であり、下側ロック体３３は、下側ロック部３８と対向するように正面側に立設された係止金具である。
【００４１】
図８に示すように、上側ロック体３２は、遊技盤固定枠５０に固定される固定面３２ａと、固定面３２ａの左側縁部から正面側に延設された突起面３２ｂとから構成されている。そして、上側ロック部３７に着脱される突起面３２ｂには、上側ロック部３７の内部で係着するための嵌合孔３２ｃが形成されている。なお、図示しないが、下側ロック体３３も、固定面，突起面，嵌合孔から構成され、上側ロック体３２と同一構成である。
【００４２】
図６に戻り、遊技盤固定枠５０の左上角部近傍には、遊技盤２の嵌合穴４０ａに嵌合される嵌合突起４１ａが設けられ、遊技盤固定枠５０の右下角部近傍には、遊技盤２の嵌合穴４０ｂに嵌合される嵌合突起４１ｂが設けられている。嵌合突起４１ａは、嵌合穴４０ａと対向するように正面側に突出したピン金具であり、嵌合突起４１ｂは、嵌合穴４０ｂと対向するように正面側に突出したピン金具である。
【００４３】
また、遊技盤固定枠５０には、遊技盤用開口部Ｑをその周囲で取り囲むように、複数の弾性具４２ａ，４２ｂ，４２ｃ，４２ｄが設けられている。これらの弾性具４２ａ〜４２ｄは、正面視横長長方形状に加工された薄板状のスポンジ材であり、その背面側が遊技盤固定枠５０に接着固定されている。これらの弾性具４２ａ〜４２ｄは、遊技盤用開口部Ｑに取り付けられる遊技盤２の背面に当接する位置で、遊技盤固定枠５０に設けられている。詳細には、遊技盤固定枠５０において、その左上角部近傍に弾性具４２ａが設けられ、その右上角部近傍に弾性具４２ｂが設けられ、その左下角部近傍に弾性具４２ｃが設けられ、その右下角部近傍に弾性具４２ｄが設けられている。そのため、遊技盤用開口部Ｑに遊技盤２が取り付けられると、弾性具４２ａ〜４２ｄは遊技盤２の背面に当接して前方に向けて押圧する。なお、中枠１３に対する遊技盤２の取り付けについては、詳細は後述する（段落００６６以降を参照）。
【００４４】
次に、表枠１４について説明する。図９は、ガラス窓２３が取り付けられていない表枠１４の斜め後方からみた斜視図である。図１０は、ガラス窓２３が取り付けられていない表枠１４の背面図である。図９及び図１０に示すように、表枠１４の略中央には、遊技者がパチンコ機１の前方から遊技領域を目視できるように設けられた視認窓である窓部１４０が形成されている。本実施の形態では、窓部１４０は若干縦長の楕円形状をなし、窓部１４０の背面は、その全体を被覆可能なガラス窓２３（図１１等参照）が着脱される。
【００４５】
また、表枠１４の開閉動作の軸線側となる表枠左側端部１４ａには、その上端部及び下端部に中枠１３に対する組付機構として、組付具１４ｅ，１４ｆが固定されている。そして、先述のように、中枠１３に設けられた軸ピン２４ａ，２９ａ（図６参照）に対して、表枠１４の組付具１４ｅ，１４ｆがそれぞれ取り付けられる。すなわち、上側の組付具１４ｅには上面に開口する係合穴（図示外）が形成されており、この係合穴に軸ピン２４ａが挿入される一方、下側の組付具１４ｆには下面に開口する係合穴（図示外）が形成されており、この係合穴に軸ピン２９ａが挿入される。かかる構成により、中枠１３に対して表枠１４が開閉可能に支持される。
【００４６】
一方、表枠１４の開閉動作の軸線側とは反対側の表枠右側端部１４ｂには、上下一対をなす中枠１３に対する着脱機構としての板状金具である係止具１４ｇ，１４ｈが固定されている。先述のように、中枠１３に設けられた鉤金具２１，２２（図６参照）に対して、表枠１４の係止具１４ｇ，１４ｈがそれぞれ着脱可能である。すなわち、中枠１３に対して表枠１４を閉めると、係止具１４ｇ，１４ｈに鉤金具２１，２２の先端部がそれぞれ掛止される一方、中枠１３に対して表枠１４を開くと、係止具１４ｇ，１４ｈから鉤金具２１，２２の先端部がそれぞれ外れて開放される。かかる構成により、中枠１３に対して表枠１４を任意に着脱可能である。
【００４７】
また、背面視、表枠１４の右上端縁部近傍には、パチンコ機１の前方に向けてスピーカー（図示外）の音声を出力するスピーカー部１４ｃが設けられている。同様に、表枠１４の左上端縁部近傍には、パチンコ機１の前方に向けてスピーカー（図示外）からの音声を出力するスピーカー部１４ｄが設けられている。
【００４８】
さらに、本実施の形態に係る表枠１４は、ガラス窓２３をその外周で保持するために以下の構成を有する。すなわち、表枠１４の背面側における上端部近傍に、ガラス窓２３を支持するための受け金具である支持具１４２が設けられている。また、表枠１４の背面側には、フレーム幅の小さい長尺板状のレール部１４１が、窓部１４０の外周に沿って下方向に湾曲した略Ｕの字型をなすように立設されている。そして、このレール部１４１は後述するガラス窓２３のガラスフレーム２３ｃ（図１１等参照）の下半分と略同一の形状をなし、このレール部１４１に対して上方からガラス窓２３を着脱可能である。
【００４９】
そして、レール部１４１において、背面視、右肩方向に向けて湾曲する右部の上端縁部には、上スライド溝１４３ａが設けられ、左肩方向に向けて湾曲する左部の上端縁部には、上スライド溝１４３ｂが設けられている。上スライド溝１４３ａ，１４３ｂは、平面視、窓部１４０に向けて開口するようなコの字型に取り囲むように形成されている。そして、その内部に嵌め込まれるガラス窓２３のガラスフレーム２３ｃを上下方向に摺動可能に案内する、各々対向する一対のガイド溝である。
【００５０】
また、レール部１４１において、背面視、右肩方向に向けて湾曲する右部の中間位置より若干下側には、下スライド溝１４４ａが形成されている一方、左肩方向に向けて湾曲する左部の中間位置より若干下側には、下スライド溝１４４ｂが形成されている。下スライド溝１４４ａ，１４４ｂは、平面視、窓部１４０に向けて開口するようなコの字型に取り囲むように形成されて、かつ、その下端面が閉じられている。そして、その内部に嵌め込まれるガラス窓２３のガラスフレーム２３ｃを上方向のみに摺動可能に案内する、各々対向する一対のガイド溝である。
【００５１】
さらに、表枠１４の背面側には、背面視、支持具１４２の右側に、左右方向にスライド移動可能なガラス窓固定具１４５ａが形成されている。ガラス窓固定具１４５ａは、その左右方向の移動に応じて、ガラス窓２３の上端部（ガラス窓固定片２３５ａ）に着脱可能である。同様に、支持具１４２の左側に、左右方向にスライド移動可能なガラス窓固定具１４５ｂが形成されている。ガラス窓固定具１４５ｂは、その左右方向の移動に応じて、ガラス窓２３の上端部（ガラス窓固定片２３５ｂ）に着脱可能である。
【００５２】
次に、ガラス窓２３について説明する。図１１は、ガラス窓２３の斜め前方からみた斜視図である。図１２は、ガラス窓２３の正面図である。図１３は、ガラス窓２３の斜め後方からみた斜視図である。図１４は、ガラス窓２３の背面図である。図１１乃至図１４に示すように、ガラス窓２３は、所定間隔を隔てて配置された前後一対のガラス板２３ａ，２３ｂと、ガラス板２３ａ，２３ｂの外周を保持するガラスフレーム２３ｃとで構成されている。このガラス板２３ａ，２３ｂは、各々の中心を通る斜め方向を軸線として対称をなす外周形状を有し、表枠１４の窓部１４０を被覆できるような形状及び大きさを有している。
【００５３】
本実施の形態では、ガラス板２３ａ，２３ｂは、略正八角形状をなすように８つの角を有する一方、その外周の輪郭は滑らかな曲線を有する略円環状をなし、この８つの角も滑らかに湾曲している。そして、ガラス板２３ａ，２３ｂの外周形状は、図１２及び図１４に示すように、平面視又は背面視、水平面に対して４５度傾斜してガラス板２３ａ，２３ｂの中心を通るＡ−Ａ線を対称軸として線対称をなす。なお、ガラス板２３ａ，２３ｂの横及び縦の長さ（上下方向及び左右方向の幅長）は、その中心において最大となる。
【００５４】
ところで、一般には、ガラス窓２３（ガラス板２３ａ，２３ｂ）として、表枠１４の窓部１４０と同一円形に形成したものを利用することが多い。しかし、従来のガラス窓は、その円形形状のために部材の方向を特定しにくく、その製造時の位置決めが困難であるという不具合があった。そのため、本実施の形態では、上記のように斜め軸対称となる外周形状を有するガラス窓２３（ガラス板２３ａ，２３ｂ）を用いることで、ガラス窓２３の製造時の位置決めを容易にしている。
【００５５】
また、ガラスフレーム２３ｃは、ＡＢＳ樹脂等により一体成形された枠部材である。ガラスフレーム２３ｃのフレーム幅は、ガラス板２３ａ，２３ｂが置かれた所定間隔とほぼ同じであるが、その一部では背面側に向けて突出するようにフレーム幅が大きく形成されている。このガラスフレーム２３ｃにおけるフレーム幅が大きい部位が、リブ部２３９ａ〜２３９ｄである。リブ部２３９ａ〜２３９ｄ（図１１及び図１３参照）は、中枠１３に対して表枠１４を閉鎖すると外レール３（図３参照）と重なるように係合して、外部から異物を挿入可能な隙間が生じないようにする。
【００５６】
そして、ガラス窓２３は、ガラス板２３ａ，２３ｂが各々の外周で図示外のシール材を介してガラスフレーム２３ｃの内周面に密着固定された構成をなす。そのため、ガラス窓２３の内部には、ガラスフレーム２３ｃとガラス板２３ａ，２３ｂとによって取り囲まれた密閉空間３００が形成されている。なお、ガラスフレーム２３ｃ内側の二点鎖線（図１２及び図１４参照）は、表枠１４に対してガラス窓２３を取り付けた場合に、遊技者がパチンコ機１の前方から窓部１４０を通じて視認できる視認領域Ｒを示している。
【００５７】
ここで、本実施の形態に係るガラス窓２３は、表枠１４に対して簡易かつ正確に取り付けるために、以下のような構成を有する。すなわち、ガラスフレーム２３ｃの上端部に、表枠１４の支持具１４２に掛着可能に突出した掛け金具である掛着具２３１が設けられている。この掛着具２３１は、ガラス窓２３の中央からみた上部（すなわち、ガラス窓２３の中心を通る垂直線上に位置する、ガラス窓２３の上端部）に設けられている。
【００５８】
また、正面視、ガラス窓２３のガラスフレーム２３ｃの左側面には、その外周に沿ってフレーム幅の小さい長尺板状のガイドレール２３２ａが立設されている。同様に、ガラス窓２３のガラスフレーム２３ｃの右側面には、その外周に沿ってフレーム幅の小さい長尺板状のガイドレール２３２ｂが立設されている。そして、ガイドレール２３２ａ，２３２ｂにおいて、各々の上端部はフレーム幅が大きい上スライド片２３３ａ，２３３ｂとなっている。なお、上スライド片２３３ａ，２３３ｂは、先述の表枠１４に形成された上スライド溝１４３ａ，１４３ｂに対応する位置に設けられている。すなわち、上スライド片２３３ａ，２３３ｂは、ガラス窓２３の斜め上部分から両側面方向に向けて各々突出し、上スライド溝１４３ａ，１４３ｂにそれぞれ係合可能な一対のガイド片である。
【００５９】
また、ガイドレール２３２ａ，２３２ｂにおいて、各々の下端部はフレーム幅が大きくなっており、正面視、左下方向及び右下方向に各々突出するような下スライド片２３４ａ，２３４ｂがそれぞれ形成されている。なお、下スライド片２３４ａ，２３４ｂは、先述の表枠１４に形成された下スライド溝１４４ａ，１４４ｂに対応する位置に設けられている。すなわち、下スライド片２３４ａ，２３４ｂは、ガラス窓２３の斜め下部分から両側面方向に向けて突出し、下スライド溝１４４ａ，１４４ｂにそれぞれ係止可能な一対のガイド片である。
【００６０】
さらに、ガラス窓２３のガラスフレーム２３ｃには、正面視、掛着具２３１の左側近傍に、平面視略長方形状の水平面を形成するガラス窓固定片２３５ａが形成されている。同様に、掛着具２３１の右側近傍に、平面視略長方形状の水平面を形成するガラス窓固定片２３５ｂが形成されている。なお、ガラス窓固定片２３５ａ，２３５ｂは、先述の表枠１４に形成されたガラス窓固定具１４５ａ，１４５ｂに対応する位置に設けられている。すなわち、ガラス窓固定片２３５ａ，２３５ｂは、ガラス窓２３を上方から固定するためのガラス窓固定具１４５ａ，１４５ｂを各々受ける一対の受け部材である。
【００６１】
また、本実施の形態に係るガラス窓２３は、その内部を除湿するための乾燥剤２９０を設けるために、以下のような構造を有する。すなわち、正面視、ガラス窓２３の左下部分には、その内部に乾燥剤２９０を収容するとともに、その背面側から乾燥剤２９０を見えないように被覆する乾燥剤支持部５００が設けられている。なお、乾燥剤２９０は、細長い筒状の包装体の内部に粒状のゼオライトやシリカゲルが収納されている。
【００６２】
乾燥剤支持部５００は、正面視、ガラスフレーム２３ｃの左下部分から内周側に向けて、ガラス板２３ｂの正面に沿って延設された薄板状の被覆部５０４と、被覆部５０４の先端部から前方に延設された仕切部５０５とを有し、ガラスフレーム２３ｃと一体に形成されている。なお、仕切部５０５は、ガラス板２３ａ，２３ｂの間隙に架設されて、ガラス板２３ａ，２３ｂにより隙間無く挟持されている。
【００６３】
そして、ガラスフレーム２３ｃとガラス板２３ａ，２３ｂとにより形成された密閉空間３００は、乾燥剤支持部５００の仕切部５０５によって、仕切部５０５の上面側に位置する目視部３００ａと、仕切部５０５の下面側に位置する吸湿部３００ｂとに仕切られる。すなわち、この吸湿部３００ｂは、乾燥剤支持部５００とガラス板２３ａによって取り囲まれた密閉空間であり、その内部に乾燥剤２９０が収容されている。なお、仕切部５０５には、複数の通気孔（図示外）が略均等な間隔で形成されているため、目視部３００ａ及び吸湿部３００ｂは空気が相互に流動可能である。そのため、吸湿部３００ｂに設けられた乾燥剤２９０は、複数の通気孔（図示外）を介して目視部３００ａから吸湿可能である。
【００６４】
かかる構成により、ガラス窓２３の内部に吸湿用の乾燥剤２９０を配置することで、ガラス窓２３の正面側からはガラス板２３ａを介して吸湿部３００ｂに配置された乾燥剤２９０を目視できる一方（図１２参照）、ガラス窓２３の背面側からは被覆部５０４により隠蔽されて乾燥剤２９０を目視できない（図１４参照）。また、ガラス窓２３を表枠１４に取り付けると、正面視（図１２参照）、乾燥剤支持部５００は窓部１４０の外周部により隠蔽されて乾燥剤２９０を目視できなくなる。これにより、ガラス窓２３の製造時には乾燥剤２９０の配置ミスなどの確認が容易であり、またパチンコ機１への取付け後は美観を保つという効果がある。
【００６５】
ところで、ガラス窓２３を表枠１４への取り付ける場合は、以下の手順により行う。図１５は、ガラス窓２３が取り付けられた表枠１４の背面図である。図１５に示すように、ガラス窓２３を表枠１４に取り付ける場合は、パチンコ機１の製造者や管理者などは、まずガラス窓２３の両側部を把持して所定の高さに持ち上げて、ガラス窓２３の掛着具２３１を表枠１４の支持具１４２に後方から掛着させる。さらに、支持具１４２に掛着された掛着具２３１の軸線方向を回転中心として、製造者等はガラス窓２３を前方に回動させて、ガラス窓２３の正面側を表枠１４の背面側に近接させる。次に、製造者等はその上端部で支持されたガラス窓２３を僅かに持ち上げて、ガラス窓２３の上スライド片２３３ａ，２３３ｂを表枠１４の上スライド溝１４３ａ，１４３ｂに各々上方から嵌め込むと同時に、ガラス窓２３の下スライド片２３４ａ，２３４ｂを表枠１４の下スライド溝１４４ａ，１４４ｂに各々上方から嵌め込む。最後に、表枠１４のガラス窓固定具１４５ａ，１４５ｂをガラス窓２３のガラス窓固定片２３５ａ，２３５ｂに各々係止する。以上の手順により、製造者等はガラス窓２３を表枠１４に簡易かつ正確に取り付けることができる。
【００６６】
ここで、遊技盤２を中枠１３に取り付ける手順について説明する。図１６は、ガラス窓２３を表枠１４に取り付ける手順を示す斜視図である。図１７は、上側受け具３０及び上側係止片３５の部分拡大図である。図１８は、遊技盤２が取り付けられた中枠１３の正面図である。なお、図１６においては、理解を容易にするために、遊技盤２を仮想線で表している。また、図１７においては、遊技盤２を後方に回動させた状態を実線で示し、遊技盤２を前方に回動させた状態を仮想線で示している。
【００６７】
まず、図１６に示すように、パチンコ機１の製造者や管理者などは、遊技盤２の両側部を把持して所定の高さに持ち上げて遊技盤用開口部Ｑへ近づけていく。そして、遊技盤２の上側係止片３５及び下側係止片３６を中枠１３の上側受け具３０及び下側受け具３１に各々右上方から係止する。詳細には、図１７に示すように、上側係止片３５の下端部３５ａを載置部３０ａの支持板３０１ａ上に載置するとともに、上側係止片３５の側端部３５ｂを当接部３０ｂの支持溝３０４ｂに嵌入させる。同様に、下側係止片３６の下端部３６ａを載置部３１ａの支持板（図示外）上に載置するとともに、下側係止片３６の側端部３６ｂを当接部３１ｂの支持溝（図示外）に嵌入させる。
【００６８】
ここで、図１７に示すように、上側係止片３５の側端部３５ｂを上側受け具３０の支持溝３０４ｂに嵌入すると、側端部３５ｂは上下一対の後係止部３０３ｂに当接して、前係止部３０２ｂ及び遊技盤固定枠５０に挟まれるように位置する。そして、上下一対の後係止部３０３ｂは、側端部３５ｂを前後方向に回動可能に当接するために、各々の先端部が円形爪片をなす。そのため、上側係止片３５が上側受け具３０に係止された状態（すなわち、上下一対の後係止部３０３ｂが側端部３５ｂに当接した状態）では、遊技盤２はその左側縁部（すなわち、上下一対の後係止部３０３ｂと側端部３５ｂとの当接部位）を回動軸として、側端部３５ｂが前係止部３０２ｂに当接するまで前方に回動可能であり、また側端部３５ｂが遊技盤固定枠５０に当接するまで後方に回動可能である。言い換えれば、上側係止片３５の側端部３５ｂが当接部３０ｂの支持溝３０４ｂを前後方向に移動できる範囲に、遊技盤２の開閉動作が制限される。なお、下側係止片３６及び下側受け具３１についても、上記と同様をなす。
【００６９】
そのため、上側係止片３５及び下側係止片３６の下端部３５ａ，３６ａが上側受け具３０及び下側受け具３１の載置部３０ａ，３１ａに各々載置されると、遊技盤２の中枠１３に対する上下方向の位置決めがなされる。また、上側係止片３５及び下側係止片３６の側端部３５ｂ，３６ｂが上側受け具３０及び下側受け具３１の当接部３０ｂ，３１ｂに各々当接されると、遊技盤２の中枠１３に対する左右方向の位置決めがなされる。すなわち、遊技盤２はその左側縁部において垂直方向に軸支されるから、製造者等が遊技盤２の左側面から手を離しても遊技盤２は落下せず、かつ中枠１３に対して遊技盤２を略水平方向に所定範囲で回動可能である。
【００７０】
そして、上側受け具３０及び下側受け具３１を回動中心として、遊技盤２を中枠１３に対して閉鎖することで、遊技盤２の上側ロック部３７及び下側ロック部３８を中枠１３の上側ロック体３２及び下側ロック体３３に各々係着させる。詳細には、上側ロック体３２の突起面３２ｂを上側ロック部３７の挿脱口３７ｃに向けて挿入すれば、上側ロック体３２の嵌合孔３２ｃが上側ロック部３７の本体部３７ａで係止されると同時に、バネ部材（図示外）の付勢力によって開閉片３７ｄは自動的に閉鎖状態となる。そのため、上側ロック部３７と上側ロック体３２との係着時に、開閉片３７ｄを解除状態及び閉鎖状態にするために操作レバー３７ｂを用いる必要がない。同様にして、下側ロック部３８を下側ロック体３３に係着させる。それと同時に、中枠１３の嵌合突起４１ａ，４１ｂを、遊技盤２の嵌合穴４０ａ，４０ｂに各々嵌入させる。このように、上側受け具３０及び下側受け具３１により左側縁部が軸支された状態の遊技盤２を中枠１３に対して閉鎖するだけで、遊技盤２を中枠１３に容易に取り付けることができる。
【００７１】
ここで、遊技盤２の上側ロック部３７，下側ロック部３８，嵌合穴４０ａ，４０ｂは、それぞれ中枠１３の上側ロック体３２，下側ロック体３３，嵌合突起４１ａ，４１ｂに対応した位置にあらかじめ各部材が配置されている。そして、遊技盤２の上側係止片３５及び下側係止片３６を中枠１３の上側受け具３０及び下側受け具３１に係止すると、先述のように遊技盤２の中枠１３に対する位置決めがなされる。よって、その係止状態を保持しながら遊技盤２を中枠１３に対して閉鎖すれば、遊技盤２を中枠１３の遊技盤用開口部Ｑに正確に取り付けることができる。
【００７２】
また、上側ロック部３７では、その挿脱口３７ｃが上側ロック体３２と対向する背面側に向けて開口部の横幅が徐々に大きくなるように形成されている（図４及び図５参照）。そのため、中枠１３に対する遊技盤２の取付け時に、遊技盤２の遊技盤用開口部Ｑへの位置決めが正確にできておらず、上側ロック部３７が上側ロック体３２に対して左右方向に多少ズレているような場合であっても、後方から確実に上側ロック体３２を挿脱口３７ｃに挿入することが可能である（下側ロック部３８についても同様）。
【００７３】
最後に、図１８に示すように、遊技盤２を中枠１３に取り付けた後は、中枠１３に設けられた弾性具４２ａ〜４２ｄが遊技盤２の背面に当接して前方に向けて押圧する。そのため、中枠１３に対して遊技盤２を密着して固定でき、パチンコ機１の稼動時における遊技盤２の振動が防止される。以上の手順によって、遊技盤２を中枠１３に対して簡易かつ確実に位置決めすることができ、かつ適切に固定することができる。
【００７４】
なお、遊技盤２を中枠１３から取り外す場合は、上記手順を逆に行えばよい。すなわち、製造者等は遊技盤２の右側部を把持して、上側ロック部３７及び下側ロック部３８を上側ロック体３２及び下側ロック体３３から各々外す。そして、上側受け具３０及び下側受け具３１を回動中心として遊技盤２を前方に回動させ（遊技盤２を中枠１３に対して開放し）、遊技盤２の上側ロック部３７，下側ロック部３８，嵌合穴４０ａ，４０ｂを、それぞれ中枠１３を上側ロック体３２，下側ロック体３３，嵌合突起４１ａ，４１ｂから外す。なお、上側ロック部３７を上側ロック体３２から外すには、その操作レバー３７ｂを用いて開閉片３７ｄを解除状態に保持したまま、遊技盤２を後方に回動させて挿脱口３７ｃから上側ロック体３２を抜脱し、その後に開閉片３７ｄを閉鎖状態に戻せばよい（下側ロック部３８及び下側ロック体３３についても同様）。最後に、遊技盤２の両側部を把持して、遊技盤２の上側係止片３５及び下側係止片３６を中枠１３の上側受け具３０及び下側受け具３１から外し、遊技盤用開口部Ｑから遊技盤２を取り外す。以上の手順によって、遊技盤２を中枠１３から簡易かつ確実に取り外すことができる。
【００７５】
以上、本実施の形態に係るパチンコ機１によれば、遊技盤２の上側係止片３５及び下側係止片３６が中枠１３の上側受け具３０及び下側受け具３１に各々係止されると、遊技盤２が左側縁部を回動中心として前後方向に開閉可能に支持される。そして、上側係止片３５及び下側係止片３６が上側受け具３０及び下側受け具３１に係止された状態で遊技盤２が前後方向に開閉されると、その開閉動作に応じて上側ロック部３７及び下側ロック部３８が各々上側ロック体３２及び下側ロック体３３に着脱される。よって、遊技盤２の一側部を中枠１３に係止した状態で、遊技盤の他側部を中枠１３に取り付けることができるので、中枠１３に対して遊技盤２を簡易かつ確実に着脱することができる。
【００７６】
また、上側受け具３０は、上側係止片３５の下端部３５ａが載置されて遊技盤２の上下方向を位置決めする載置部３０ａと、上側係止片３５の側端部３５ｂが当接して遊技盤２の左右方向を位置決めする当接部３０ｂとを備える。さらに、下端部３５ａが載置部３０ａに載置されると、側端部３５ｂが当接部３０ｂに形成された支持溝３０４ｂを前後方向に移動できる範囲に、遊技盤２の開閉動作が制限される。下側受け具３１及び下側係止片３６についても同様である。よって、遊技盤２の一側部を中枠１３に係止すると、中枠１３に対して遊技盤２の上下方向及び左右方向の位置決めがなされ、また中枠１３に対する遊技盤２の前後方向の移動範囲が制限される。そのため、中枠１３に対して遊技盤２を正確に位置決めすることができる。
【００７７】
また、上側ロック部３７の挿脱口３７ｃは、上側ロック体３２と対向する方向に向けて徐々に開口幅が広くなるように形成された。下側ロック部３８及び下側ロック体３３についても同様である。よって、遊技盤２の他側部を中枠１３に取り付ける際に、中枠１３の遊技盤用開口部Ｑに対する遊技盤２の位置が若干ズレていても、中枠１３に対して遊技盤２を適切に取り付けることができる。
【００７８】
また、遊技盤用開口部Ｑの周囲における遊技盤２の背面が当接する部位に、遊技盤２の背面を押圧する複数の薄板状のスポンジ部材である弾性具４２ａ〜４２ｄを備えた。よって、簡易な構成を有する弾性具４２ａ〜４２ｄによって、中枠１３に対して遊技盤２を密着して固定でき、パチンコ機１の稼動時における遊技盤の振動を防止することができる。
【００７９】
ところで、上記実施の形態において、中枠１３に設けられた上側受け具３０及び下側受け具３１が本発明の「受け部材」に相当し、上側ロック体３２及び下側ロック体３３が本発明の「着脱体」に相当する。また、遊技盤２に設けられた上側係止片３５及び下側係止片３６が本発明の「係止部」に相当し、上側ロック部３７及び下側ロック部３８が本発明の「着脱部」に相当する。また、中枠１３に設けられた弾性具４２ａ〜４２ｄが本発明の「弾性部材」に相当する。
【００８０】
なお、本発明は、以上詳述した実施の形態に限定されるものではなく、種々の変更が可能である。まず、本実施の形態では遊技機として、遊技機の一種であるパチンコ機１を例に挙げているが、遊技機はパチンコ機に限られず、パチコン機及びスロット等の各種遊技機に適用可能である。
【００８１】
また、本発明の「受け部材」及び「係止部」は、遊技盤２を回動可能に係止できるのであれば、その形態を任意に変更可能である。例えば、上側受け具３０（下側受け具３１）として中枠１３の正面側で上方に向けて突出する嵌合ピンを設け、上側係止片３５（下側係止片３６）としてその嵌合ピンに嵌合可能な嵌合孔を設けるようにして、上側係止片３５（下側係止片３６）を上側受け具３０（下側受け具３１）に係止するようにしてもよい。
【００８２】
また、本発明の「着脱体」及び「着脱部」は、遊技盤２を中枠１３に有効に着脱できるのであれば、その形態を任意に変更可能である。例えば、上側ロック部３７（下側ロック部３８）としてレバー状の固定用金具を設け、上側ロック体３２（下側ロック体３３）としてその固定用金具が着脱される受け金具を設けるようにして、上側ロック部３７（下側ロック部３８）を上側ロック体３２（下側ロック体３３）に着脱するようにしてもよい。
【００８３】
また、本発明の「弾性部材」は、中枠１３の正面側で遊技盤２を有効に押圧することができれば、その位置，形状，大きさ，数量などを任意に変更できる。例えば、「弾性部材」を、複数の円形状のゴム部材としてもよい。
【産業上の利用可能性】
【００８４】
本発明の遊技機は、パチンコ機に限られず、パチコン機、パチスロ機等の各種の遊技機に適用することができる。
【図面の簡単な説明】
【００８５】
【図１】パチンコ機１の表枠１４及び中枠１３が開いた状態を斜め前方から見た斜視図である。
【図２】パチンコ機１の正面図である。
【図３】遊技盤２の正面図である。
【図４】上側ロック部３７の斜め後方からみた拡大斜視図である。
【図５】上側ロック部３７の斜め後方からみた拡大斜視図である。
【図６】中枠１３の正面図である。
【図７】上側受け具３０の斜め前方からみた拡大斜視図である。
【図８】上側ロック体３２の部品拡大図である。
【図９】ガラス窓２３が取り付けられていない表枠１４の斜め後方からみた斜視図である。
【図１０】ガラス窓２３が取り付けられていない表枠１４の背面図である。
【図１１】ガラス窓２３の斜め前方からみた斜視図である。
【図１２】ガラス窓２３の正面図である。
【図１３】ガラス窓２３の斜め後方からみた斜視図である。
【図１４】ガラス窓２３の背面図である。
【図１５】ガラス窓２３が取り付けられた表枠１４の背面図である。
【図１６】ガラス窓２３を表枠１４に取り付ける手順を示す斜視図である。
【図１７】上側受け具３０及び上側係止片３５の部分拡大図である。
【図１８】遊技盤２が取り付けられた中枠１３の正面図である。
【符号の説明】
【００８６】
１    パチンコ機
２    遊技盤
１２    外枠
１３    中枠
１４    表枠
２３    ガラス窓
３０    上側受け具
３０ａ    載置部
３０ｂ    当接部
３１    下側受け具
３１ａ    載置部
３１ｂ    当接部
３２    上側ロック体
３３    下側ロック体
３５    上側係止片
３５ａ    下端部
３５ｂ    側端部
３６    下側係止片
３６ａ    下端部
３６ｂ    側端部
３７    上側ロック部
３８    下側ロック部
４０ａ    嵌合穴
４０ｂ    嵌合穴
４１ａ  嵌合突起
４１ｂ    嵌合突起
４２ａ    弾性具
４２ｂ    弾性具
４２ｃ    弾性具
４２ｄ    弾性具
【図１】
2007190264.tif 000003
【図２】
2007190264.tif 000004
【図３】
2007190264.tif 000005
【図４】
2007190264.tif 000006
【図５】
2007190264.tif 000007
【図６】
2007190264.tif 000008
【図７】
2007190264.tif 000009
【図８】
2007190264.tif 000010
【図９】
2007190264.tif 000011
【図１０】
2007190264.tif 000012
【図１１】
2007190264.tif 000013
【図１２】
2007190264.tif 000014
【図１３】
2007190264.tif 000015
【図１４】
2007190264.tif 000016
【図１５】
2007190264.tif 000017
【図１６】
2007190264.tif 000018
【図１７】
2007190264.tif 000019
【図１８】
2007190264.tif 000020